(57)【特許請求の範囲】
【請求項１】
現像剤適用手段が装着される現像室を規定する現像枠体に、現像剤を収容した容器が装着され、そして現像室に試験用現像剤が充填されて現像機能試験が遂行される型の現像ユニットにおける、該容器に形成されている、細長く延在する現像剤流出開口をシールするためのシール部材にして、
長手方向に延伸せしめられた合成樹脂フィルムから形成された第一のフィルムストリップと、同様に長手方向に延伸せしめられた合成樹脂フィルムから形成された第二のフィルムストリップとを含み、
該第一のフィルムストリップは、細長く延在する第一の部分、該第一の部分に対して折り重ねられ該第一の部分に沿って延在する第二の部分及び該第二の部分に続く引張端部を有し、該第二の部分は該第一の部分よりも幅狭であって該第一の部分の幅方向中央に位置せしめられ、該引張端部は該第一の部分の自由端縁を越えて延出し、
該第二のフィルムストリップも、細長く延在する第一の部分、該第一の部分に対して折り重ねられ該第一の部分に沿って延在する第二の部分及び該第二の部分に続く引張端部を有し、該第二の部分は該第一の部分よりも幅狭であって該第一の部分の幅方向中央に位置せしめられ、該引張端部は該第一の部分の自由端縁を越えて延出し、
該第一のフィルムストリップの該第一の部分は、該現像剤流出開口を覆うように配置されて該現像剤流出開口の周囲に接着され、
該第二のフィルムストリップの該第二の部分は、該第一のフィルムストリップの該第二の部分に積層されてこれに接着され、
該第二のフィルムストリップの該引張端部は該第一のフィルムストリップの該引張端部に積層されてこれに接着され、
該第二のフィルムストリップの該第一の部分は該第二のフィルムストリップの該第二の部分及び該第一のフィルムストリップの該第二の部分を介して該第一のフィルムストリップの該第一の部分に積層され、該第一のフィルムストリップの該第一の部分と該第二のフィルムストリップの該第一の部分との、該第一のフィルムストリップの該第二の部分及び該第二のフィルムストリップの該第二の部分の幅方向両側縁よりも幅方向外側に位置し直接的に接触せしめられる幅方向両側部は、全体に渡って相互に接着されている、
ことを特徴とするシール部材。
【請求項２】
該第一のフィルムストリップの該第二の部分の幅及び該第二のフィルムストリップの該第二の部分の幅は該現像剤流出開口の幅と略同一である、請求項１記載にシール部材。
【請求項３】
該現像剤流出開口に対応した開口が形成されている合成樹脂シートストリップを含み、該第一のフィルムストリップの該第一の部分は該シートストリップを介して該現像剤流出開口の周囲に接着されている、請求項１又は２記載のシール部材。
【請求項４】
該シートストリップは両面接着テープを介して該現像剤流出開口の周囲に接着され、該第一のフィルムストリップの該第一の部分は両面接着テープを介して該シートストリップに接着されている、請求項３記載のシール部材。
【請求項５】
該第二のフィルムストリップの該第二の部分及び該引張端部は、連続して延在する中央両面接着テープを介して、該第一のフィルムストリップの該第二の部分及び該引張端部に接着されており、該第二のフィルムストリップの該第一の部分の幅方向両側部は、夫々、該中央両面接着テープとは別個に該第一の部分の幅方向両側部に沿って延びる両側両面接着テープを介して、該第一のフィルムストリップの該第一の部分の幅方向両側部に接着されている、請求項１から４までのいずれかに記載のシール部材。
【発明の詳細な説明】
【０００１】
【発明の属する技術分野】
本発明は、現像剤適用手段が装着される現像室を規定する現像枠体に、現像剤を収容した容器が装着され、そして現像室に試験用現像剤が充填されて現像機能検査が遂行される型の現像ユニットにおける、容器に形成されている、細長く延在する現像剤流出開口をシールするためのシール部材に関する。
【０００２】
【従来の技術】
周知の如く、静電式印刷機、複写機或いはファクシミリの如き静電式画像形成機として、ハウジング内の所要位置に現像ユニットが着脱自在に装着される形態のものが広く実用に供されている。現像ユニットはそれ単独でハウジング内の所要位置に着脱自在に装着され、或いは感光ドラムユニットと組み合わされてプロセスユニットを構成してハウジング内の所要位置に着脱自在に装着される。現像ユニットは、現像剤適用手段が装着されている現像室を規定している現像枠体と共に、この現像枠体に組み合わせられる容器を含んでいる。現像剤適用手段は周表面に現像剤を保持し、かかる現像剤を現像すべき静電潜像、即ち感光ドラム上に形成されている静電潜像に施すための現像スリーブを有する。容器には、トナーのみから成る一成分系現像剤或いはトナーとキャリア粒子とから成る二成分系現像剤でよい現像剤が収容されている。容器には現像スリーブの中心軸線方向に細長く延びる現像剤流出開口が形成されており、かかる現像剤流出開口を通して容器内の現像剤が現像室に供給される。現像ユニットをハウジングに装着して実際に使用するまでは、容器内に収容されている現像剤が現像剤流出開口を通って漏出するのを防止するために、容器の現像剤流出開口はシール部材によってシールされている。
【０００３】
容器の現像剤流出開口をシールするためのシール部材は、通常、適宜の合成樹脂フィルムから形成されたフィルムストリップから構成されている。このフィルムストリップは、細長く延在する第一の部分と、この第一の部分に対して折り重ねられ第一の部分に沿って延在する第二の部分とを有する。第二の部分には、第一の部分の自由端縁を越えて突出する引張端部が付設せしめられている。フィルムストリップの第一の部分が現像剤流出開口を覆うように配置されて、現像剤流出開口の周囲に接着され、これによって現像剤流出開口がシールされる。現像枠体に容器を所要とおりに組み合わせた状態において、フィルムストリップの引張端部は、現像枠体の側壁に形成されている適宜のスリットを通って外方に延出せしめられる。現像剤流出開口を開封する際には、フィルムストリップの引張端部を把持して引っ張り、フィルムストリップの第一の部分を折り返し縁から順次に現像剤流出開口の周囲から剥離して、容器から離脱する。
【０００４】
【発明が解決しようとする課題】
而して、上述したとおりの形態の従来のシール部材には、次のとおりの解決すべき問題がある。特に、容器内の現像剤が一旦消費された後に、容器内に現像剤を再充填し、そしてまた必要に応じて現像剤適用手段を修理乃至交換して、現像ユニットを再使用する場合には、現像枠体に規定されている現像室に若干の試験用現像剤を充填し、かかる現像ユニットを試験用の画像形成機のハウジングの所要位置に装着して、現像ユニットが所要とおりに機能するか否かを検査することが一般的である。かような検査を遂行した場合、検査のために現像室内に充填した現像剤を現像室から完全に除去することは不可能ではないにしても著しく困難であり、シール部材を構成するフィルムストリップの上記第二の部分の外側面（即ち第一の部分に対向する内側面の反対側面）上に幾分かの現像剤が付着し、そしてまたフィルムストリップの上記第一の部分の外側面と上記第二の部分の内側面との間に幾分かの現像剤が進入する。かような現像ユニットを再使用するために、フィルムストリップの引張端部を引っ張ってフィルムストリップを容器から離脱すると、容器外に引き出された第二の部分の外側面に残留していた現像剤が周辺に飛散し、或いは操作者の手乃至衣服に付着してしまう虞が少なくない。また、フィルムストリップの引張端部を引っ張ってフィルムストリップの上記第一の部分を容器から漸次離脱する際には上記第一の部分と上記第二の部分との折り返し部位が漸次容器の片側に向けて変位するが、これに応じてフィルムストリップの上記第一の部分の外側面と上記第二の部分の内側面との間に残留していた現像剤が、フィルムストリップの上記第一の部分の外側面と上記第二の部分の内側面との間の折り返し領域に漸次集積せしめられて相当な厚さ、更に詳しくは現像枠体の側壁に形成されているスリットの幅よりも大きな厚さの塊になり、これに起因して現像枠体の側壁に形成されているスリットを通してフィルムストリップを引き出すことが困難になってしまう虞がある。
【０００５】
本発明は上記事実に鑑みてなされたものであり、その主たる技術的課題は、現像枠体に規定されている現像室に若干の試験用現像剤を充填し、かかる現像ユニットを試験用の画像形成機のハウジングの所要位置に装着して、現像ユニットが所要とおりに機能するか否かを検査した場合でも、現像剤流出開口を開封する際には、充分容易に開封操作を遂行することができると共に、現像剤が周辺に飛散する或いは現像剤が操作者の手乃至衣服に付着することが防止乃至抑制される、新規且つ改良されたシール部材を提供することである。
【０００６】
【課題を解決するための手段】
本発明においては、上記主たる技術的課題を達成するために、単一のフィルムストリップからではなくて相互に所要とおりに接着せしめた二枚のフィルムストリップ、即ち第一のフィルムストリップと第二のフィルムストリップとからシール部材を構成する。
【０００７】
即ち、本発明によれば、上記主たる技術的課題を達成するシール部材として、現像剤適用手段が装着される現像室を規定する現像枠体に、現像剤を収容した容器が装着され、そして現像室に試験用現像剤が充填されて現像機能試験が遂行される型の現像ユニットにおける、該容器に形成されている、細長く延在する現像剤流出開口をシールするためのシール部材にして、
長手方向に延伸せしめられた合成樹脂フィルムから形成された第一のフィルムストリップと、同様に長手方向に延伸せしめられた合成樹脂フィルムから形成された第二のフィルムストリップとを含み、
該第一のフィルムストリップは、細長く延在する第一の部分、該第一の部分に対して折り重ねられ該第一の部分に沿って延在する第二の部分及び該第二の部分に続く引張端部を有し、該第二の部分は該第一の部分よりも幅狭であって該第一の部分の幅方向中央に位置せしめられ、該引張端部は該第一の部分の自由端縁を越えて延出し、
該第二のフィルムストリップも、細長く延在する第一の部分、該第一の部分に対して折り重ねられ該第一の部分に沿って延在する第二の部分及び該第二の部分に続く引張端部を有し、該第二の部分は該第一の部分よりも幅狭であって該第一の部分の幅方向中央に位置せしめられ、該引張端部は該第一の部分の自由端縁を越えて延出し、
該第一のフィルムストリップの該第一の部分は、該現像剤流出開口を覆うように配置されて該現像剤流出開口の周囲に接着され、
該第二のフィルムストリップの該第二の部分は、該第一のフィルムストリップの該第二の部分に積層されてこれに接着され、
該第二のフィルムストリップの該引張端部は該第一のフィルムストリップの該引張端部に積層されてこれに接着され、
該第二のフィルムストリップの該第一の部分は該第二のフィルムストリップの該第二の部分及び該第一のフィルムストリップの該第二の部分を介して該第一のフィルムストリップの該第一の部分に積層され、該第一のフィルムストリップの該第一の部分と該第二のフィルムストリップの該第一の部分との、該第一のフィルムストリップの該第二の部分及び該第二のフィルムストリップの該第二の部分の幅方向両側縁よりも幅方向外側に位置し直接的に接触せしめられる幅方向両側部は、全体に渡って相互に接着されている、
ことを特徴とするシール部材が提供される。
【０００８】
該第一のフィルムストリップの該第二の部分の幅及び該第二のフィルムストリップの該第二の部分の幅は該現像剤流出開口の幅と略同一であるのが好適である。好ましくは、該現像剤流出開口に対応した開口が形成されている合成樹脂シートストリップを含み、該第一のフィルムストリップの該第一の部分は該シートストリップを介して該現像剤流出開口の周囲に接着されている。該シートストリップは両面接着テープを介して該現像剤流出開口の周囲に接着され、該第一のフィルムストリップの該第一の部分は両面接着テープを介して該シートストリップに接着されているのが好都合である。該第二のフィルムストリップの該第二の部分及び該引張端部は、連続して延在する中央両面接着テープを介して、該第一のフィルムストリップの該第二の部分及び該引張端部に接着されており、該第二のフィルムストリップの該第一の部分の幅方向両側部は、夫々、該中央両面接着テープとは別個に該第一の部分の幅方向両側部に沿って延びる両側両面接着テープを介して、該第一のフィルムストリップの該第一の部分の幅方向両側部に接着されているのが好ましい。
【０００９】
【発明の実施の形態】
以下、本発明のシール部材の好適実施形態について、添付図面を参照して更に詳細に説明する。
【００１０】
図１には、本発明に従って構成されたシール部材の好適実施形態が適用される現像ユニットの典型例が図示されている。全体を番号２で示す現像ユニットは現像枠体４を具備し、この現像枠体４内には現像室６が規定されている。現像室６内には、現像枠体４の両側壁（図１には図示していない）間に回転自在に装着された現像スリーブ１０から構成された現像剤適用手段が配設されている。現像枠体４の前面（図１において左側面）は開口されており、現像スリーブ１０の周表面は部分的に現像枠体４外に露呈せしめられている。現像スリーブ１０内には磁石部材（図示していない）が配設されている。現像室６内には、連結部材１２を介して現像枠体４に固定された現像剤規制ブレード１４も配設されている。合成ゴムから形成することができる現像剤規制ブレード１４の自由端部は現像スリーブ１０の表面に押圧せしめられている。現像スリーブ１０は図１において反時計方向に回転駆動せしめられ、上記磁石部材の磁気吸引作用によって現像室６内の現像剤をその周表面に保持して、現像枠体４外に規定されている現像域１６に搬送し、そして現像域１６において回転ドラム（図示していない）の周表面に形成されている静電潜像に施して静電潜像をトナー像に現像する。現像剤はトナーのみから構成された一成分系現像剤或いはトナーとキャリア粒子とから構成された二成分現像剤でよい。現像剤規制ブレード１４は現像スリーブ１０の周表面に保持されて現像域１６に搬送される現像剤の層を所定厚さに規制する。
【００１１】
現像ユニット２は、更に、現像枠体４に装着された現像剤容器１８を含んでいる。容器１８の前面（図１において左側面）には紙面に垂直な方向に細長く延在する現像剤流出開口２０が形成されている。容器１８内には現像剤送出部材２２が配設されている。この現像剤送出部材２２は容器１８の両側壁（図示していない）間に回転自在に装着されている。容器１８内には現像剤（図１においては図面の明瞭化のため現像剤を図示していない）が収容されており、現像剤送出部材２２が時計方向に回転駆動せしめられると、容器１８内の現像剤が現像剤流出開口２０を通して現像室６に送出せしめられる。
【００１２】
而して、図示の現像ユニット２における上述したとおりの構成は当業者には周知のものであり、それ故に本明細書においては現像ユニット２の構成についての詳細な説明は省略する。
【００１３】
上記現像ユニット２においては、現像ユニット２を単独で或いは現像ユニット２と回転ドラムユニット（図示していない）と組み合わせて構成されたプロセスユニットを画像形成機のハウジング（図示していない）内の所定位置に装着して使用を開始するまでは、現像剤の漏出及び飛散を防止するために容器１８の現像剤流出開口２０はシール部材２４によってシールされている。図２及び図３は本発明に従って構成されたシール部材の好適実施形態を図示している。図示のシール部材２４は、第一のフィルムストリップ２６と第二のフィルムストリップ２８とを含んでいる。かかる第一のフィルムストリップ２６及び第二のフィルムストリップ２８は、長手方向に延伸せしめて長手方向に配向されており、それ故に幅方向における引き裂きには相当大きな抵抗力を有するが長手方向には充分容易に引き裂かれるものであることが重要であり、例えば長手方向に延伸せしめたポリプロピレンフィルムから形成することができる。
【００１４】
第一のフィルムストリップ２６は、細長く延在する第一の部分２６ａ、第一の部分２６ａに対して折り重ねられ第一の部分２６ａに沿って細長く延在する第二の部分２６ｂ及び第二の部分２６ｂに続く引張端部２６ｃを有する。第一の部分２６ａの長さは上記容器１８に形成されている現像剤流出開口２０の長さよりも幾分長く、また第一の部分２６ａの幅は上記容器１８に形成されている現像剤流出開口２０の幅よりも幾分大きい。第一の部分２６ａに対して折り重ねられている第二の部分２６ｂの幅は第一の部分２６ａの幅よりも小さく、第二の部分２６ｂは幅方向において第一の部分２６ａの中央部に位置せしめられ、第一の部分２６ａの幅方向中央部に沿って延在せしめられている。第二の部分２６ｂの幅は上記容器１８に形成されている現像剤流出開口２０の幅と実質上同一でよい。第二の部分２６ｂの長さは第一の部分２６ａと同一であり、第二の部分２６ｂに続く引張端部２６ｃは第一の部分２６ａの自由端縁（即ち第一のフィルムストリップ２６の片端縁）を越えて延出せしめられている。引張端部２６ｃは幅方向において第二の部分２６ｂと整合せしめられており、第二の部分２６ｂと同一の幅を有しているのが好適である。
【００１５】
第二のフィルムスリップ２８も、上記第一のフィルムストリップ２６と実質上同一の形態でよく、細長く延在する第一の部分２８ａ、第一の部分２８ａに対して折り重ねられ第一の部分２８ａに沿って細長く延在する第二の部分２８ｂ及び第二の部分２８ｂに続く引張端部２８ｃを有する。
【００１６】
図示のシール部材２４は、更に、細長く延在するシートストリップ３０も含んでいる。かかるシートストリップ３０は、ポリエチレンテレフタレートの如き適宜の合成樹脂製シートから形成されているのが好都合である。シートストリップ３０には細長く延在する開口３２が形成されており、かかる開口３２は上記容器１８に形成されている現像剤流出開口２０に対応、更に詳しくは現像剤流出開口２０と実質上同一形状であるのが好都合である。現像剤流出開口２０に幅方向に延びる補強リブが１本或いは長手方向に間隔をおいて複数本形成されている場合には、これに対応せしめてシートストリップ３０の開口３２にも１本或いは複数本の補強リブを形成することができる（図２には２本の補強リブ３３を二点鎖線で示している）。
【００１７】
図２及び図３を参照して説明を続けると、シートストリップ３０の片面（図２及び図３において上面）上に第一のフィルムストリップ２６の第一の部分２６ａが接着され、そして第一のフィルムストリップ２６の第二の部分２６ｂ及び引張端部２６ｃ上に第二のフィルムストリップ２８の第二の部分２８ｂ及び引張端部２８ｃが接着されている（従って、第一のフィルムストリップ２６と第二のフィルムストリップ２８とは夫々の第二の部分２６ｂ及び２８ｂを相互に対面せしめて積層され、第一のフィルムストリップ２６の第一の部分２６ａと第二のフィルムストリップ２８の第一の部分２８ａとは第一のフィルムストリップ２６の第二の部分２６ｂ及び第二のフィルムストリップ２８の第二の部分２８ｂを介して積層されている）。更に、第一のフィルムストリップ２６の第一の部分２６ａの両側縁部と第二のフィルムストリップ２８の第一の部分２８ａの両側縁部、即ち夫々の第二の部分２６ｂ及び２８ｂの両側縁よりも幅方向外側に位置し、従って直接的に積層せしめられる両側縁部、が相互に接着せしめられ、かくしてシール部材２４が構成されている。
【００１８】
図２に明確に図示する如く、第一のフィルムストリップ２６の第一の部分２６ａはシートストリップ３０と実質上同一の形状を有する両面接着テープ３４を介してシートストリップ３０に接着されているのが好ましい。第一のフィルムストリップ２６の第二の部分２６ｂ及び引張端部２６ｃと第二のフィルムストリップ２８の第二の部分２８ｂ及び引張端部２８ｃとはこれらに沿って細長く延在する両面接着テープ３６を介して接着されているのが好ましい。第一のフィルムストリップ２６の第一の部分２６ａの両側縁部と第二のフィルムストリップ２８の第一の部分２８ａの両側縁部とは、上記両面接着テープ３６とは別個に、夫々の両側縁部に沿って延在する両面接着テープ３８及び４０を介して接着されているのが好適である。図３及び図４においては、図面の明瞭化のために両面接着テープ３４、３６、３８及び４０の図示を省略している。
【００１９】
上述したとおりのシール部材２４においては、図３に図示するとおり、シートストリップ３０の開口３２を上記容器１８に形成されている現像剤流出開口２０に整合せしめて、シートストリップ３０が容器１８に接着され、かくして容器１８の現像剤流出開口２０がシールされる。容器１８に対するシートストリップ３０の接着は、シートストリップ３０と実質上同一の形状を有する両面接着テープ４２（図２）によって遂行されているのが好適である。図３及び図４においては、図面の明瞭化のために両面接着テープ４２の図示も省略している。第一のフィルムストリップ２６の引張端部２６ｃ及び第二のフィルムストリップ２８の引張端部２８ｃは、容器１８の片側面を越えて延び、現像枠体４に容器１８を装着する際に現像枠体４の片側壁４４に形成されているスリット４６に挿通せしめられて外方に延出せしめられる。
【００２０】
現像ユニット２を画像形成機のハウジング内の所要位置に装着して使用する際には、現像ユニット２の装着に先立って或いは装着した後に、現像枠体４の片側壁４４から延出している、第一のフィルムストリップ２６の引張端部２６ｃ及び第二のフィルムストリップ２８の引張端部２８ｃを引っ張る。かくすると、第一のフィルムストリップ２６の第二の部分２６ｂ及び第二のフィルムストリップ２８の第二の部分２８ｂから第一のフィルムストリップ２６の第一の部分２６ａの幅方向中央部及び第二のフィルムストリップ２８の第一の部分２８ａの幅方向中央部に引張力が伝えられ、図３及び図４を比較参照するとによって明確に理解される如く、第一のフィルムストリップ２６及び第二のフィルムストリップ２８の双方において、第一の部分２６ａ及び２８ａと第二の部分２６ｂ及び２８ｂとの折り返し部位から第一の部分２６ａ及び２８ａの自由端縁に向けて漸次、第一の部分２６ａ及び２８ａの各々の幅方向中央部が両側部から切り裂かれ、引張端部２６ｃ及び２８ｃ並びに第二の部分２６ｂ及び２８ｂと共に第一の部分２６ａ及び２８ａの幅方向中央部がシール部材２４から分離される。この際には、第一のフィルムストリップ２６における第一の部分２６ａの幅方向中央部の長さ方向両端部はシートストリップ３０の長さ方向両端部から剥離される。第一のフィルムストリップ２６及び第二のフィルムストリップ２８における引張端部２６ｃ及び２８ｃ並びに第二の部分２６ｂ及び２８ｂと共に第一の部分２６ａ及び２８ａの幅方向中央部がシール部材２４から分離されると、容器１８の現像剤流出開口２０を覆っていた部分が存在しなくなり、従って現像剤流出開口２０が開放される。
【００２１】
本発明に従って構成された図示のシール部材２４については、次の事実が注目されるべきである。第一に、現像ユニット２の出荷に先立って、従って容器１８の現像剤流出開口２０がシール部材２４によってシールされている状態において、現像室６内に幾分かの現像剤を装填し現像ユニット２を使用した現像試験を遂行した場合、第二のフィルムストリップ２８の第一の部分２８ａの片面（図２乃至図４において上面）は現像室６内に露呈されている故に、かかる片面上には幾分かの現像剤が堆積する。しかしながら、第二のフィルムストリップ２８の第一の部分２８ａの片面は、図４を参照することによって明確に理解される如く、第一のフィルムストリップ２６の引張端部２６ｃ及び第二のフィルムストリップ２８の引張端部２８ｃを引っ張って現像剤流出開口２０を開封する際には、図２乃至図４において上方に向いていた状態から下方に向いた状態に急激に折り返される。それ故に、第二のフィルムストリップ２８の第一の部分２８ａの片面上に存在していた現像剤はそこから効果的に離脱されて容器１８内或いは現像室６内に落下せしめられる。従って、フィルムストリップ２８の第一の部分２８ａにそのまま付随して現像ユニット２から外方に搬出され、周囲に飛散し或いは操作者の手又は衣類等を汚染せしめてしまうことが充分に防止乃至抑制される。第二に、第一のフィルムストリップ２６の第二の部分２６ｂと第二のフィルムストリップ２８の第二の部分２８ｂとが相互に接着され、そしてまた第一のフィルムストリップ２６の第一の部分２６ａの両側部と第二のフィルムストリップ２８の第一の部分２８ａの両側部とが相互に接着されている。従って、第一のフィルムストリップ２６における第一の部分２６ａと第二の部分２６ｂとの間、第一のフィルムストリップ２６の第二の部分２６ｂと第二のフィルムストリップ２８の第二の部２８ｂとの間、及び第二のフィルムストリップ２８の第二の部分２８ｂと第一の部分２８ａとの間に現像剤が進入することはない。それ故に、現像剤流出開口２０を開封する際に、シール部材２４の第一のフィルムストリップ２６及び第二のフィルムストリップ２８における折り返し部位に現像剤が集積されて特定部位の厚さが過剰になってしまう虞がなく、従って現像枠体４の片側壁４４に形成されているスリット４６を通して第一のフィルムストリップ２６及び第二のフィルムストリップ２８の所要部分を引き出すことが不可能乃至困難になることはない。
【００２２】
【発明の効果】
本発明のシール部材によれば、現像枠体に規定されている現像室に若干の試験用現像剤を充填し、かかる現像ユニットを試験用の画像形成機のハウジングの所要位置に装着して、現像ユニットが所要とおりに機能するか否かを検査した場合でも、容器からシール部材を離脱せしめて現像剤流出開口を開封する際に、現像剤が周辺に飛散する或いは現像剤が操作者の手乃至衣服に付着することが防止乃至抑制され、そしてまた現像枠体の側壁に形成されているスリットを通してシール部材を充分容易に引き出すこと不可能乃至困難になることがない。
【図面の簡単な説明】
【図１】本発明に従って構成されたシール部材が適用される現像ユニットの典型例を示す簡略断面図。
【図２】本発明に従って構成されたシール部材の好適実施形態を示す分解斜面図。
【図３】図２に示すシール部材によって容器の現像剤流出開口をシールした状態を示す簡略断面図。
【図４】容器の現像剤流出開口を開封する際のシール部材の挙動を説明するための簡略断面図。
【符号の説明】
２：現像ユニット
４：現像枠体
６：現像室
１８：現像剤容器
２０：現像剤流出開口
２６：第一のフィルムストリップ
２６ａ：第一のフィルムストリップの第一の部分
２６ｂ：第一のフィルムストリップの第二の部分
２６ｃ：第一のフィルムストリップの引張端部
２８：第二のフィルムストリップ
２８ａ：第二のフィルムストリップの第一の部分
２８ｂ：第二のフィルムストリップの第二の部分
２８ｃ：第二のフィルムストリップの引張端部
３０：シートストリップ
３４：両面接着テープ
３６：両面接着テープ
３８：両面接着テープ
４０：両面接着テープ
４２：両面接着テープ
４４：現像枠体の片側壁
４６：スリット
【図１】
0003987324.tif 000002
【図２】
0003987324.tif 000003
【図３】
0003987324.tif 000004
【図４】
0003987324.tif 000005